(57)【要約】      （修正有）【課題】認知症状発生の予防に有効な串付キャンディ用保持体を提供する。【解決手段】湾曲した頂部と、その下方にＶ字状に伸びる一対の弾性ある脚部と、からなるトング状の保持体であって、該頂部には串付キャンディの串を挿入しうる挿入孔を設け、一対の脚部の相対する内面で頂部から遠くない位置に突起を設ける。【選択図】図１
0003167440.tif 000002
【実用新案登録請求の範囲】
【請求項１】
湾曲した頂部と、その下方にＶ字状に伸びる一対の弾性ある脚部と、からなるトング状の保持体であって、該頂部には串付キャンディの串を挿入しうる挿入孔を設け、一対の脚部の相対する内面で前記頂部から遠くない位置に突起を設けることを特徴とする串付キャンディ用保持体。
【請求項２】
上記保持体が、プラスチック、金属、繊維、紙、木、竹もしくはこれら材料を選択複合して構成されたことを特徴とする請求項１に記載の串付キャンディ用保持体。
【請求項３】
上記弾性ある脚部の外部表面に多数の凹凸を設けたことを特徴とする請求項１または２に記載の串付キャンディ用保持体。
【請求項４】
上記弾性ある脚部の内部表面に多数の凹凸を設けたことを特徴とする請求項１または２に記載の串付キャンディ用保持体。
【請求項５】
上記串付キャンディが、扁平な円形もしくは扁平な楕円形あるいは扁平な瓢箪形である請求項１乃至４のいずれか１項に記載の串付キャンディ用保持体。
【請求項６】
キャンディとして、ビタミン、果実エキス、ゴマ、椎茸、牛蒡、生姜、ニンニク、蜂蜜、スクラロ−ス、アセスルファムカリウム、キシリトールから選択された健康増進食品又は薬剤を配合してなることを特徴とする請求項１乃至５のいずれか１項に記載の串付キャンディ用保持体。
【考案の詳細な説明】
【技術分野】
【０００１】
本考案は認知症の進行を抑制するために有効な串付キャンディ用の保持体に関するものである。
【背景技術】
【０００２】
人間は主に高齢になるに従い、食事や運動等の周囲環境や本人の頭脳の使用状態などで、所謂認知症状が現れる人がいる。また、このような場合社会的介護施設のお世話になることも多い。
ところで、手は内臓や、脳などの身体の器官と密接に結びついていることは広く知られている。人間は手を使うことで、様々な文化を生み出してきていて、手を動かせなくなると、脳に対する情報伝達が悪くなり、脳が老化し、所謂認知症状が現れることが知られている。
【０００３】
従来この認知症状を防止するための脳の活性化のための介護的予防方法として、ハンドグリップによる指の筋力トレーニング、箸を利用して豆を挟む指先の訓練などで機能保持やリハビリを図ることが行なわれているが、しかしこの方法は半ば強制的であり、介護を受ける人間には何の楽しみもなく、永続性に問題があった。
このような認知症防止に関する器具や認知症防止に有効であろうと思われる串付キャンディ用の保持体や、串付キャンディを装着したものについて、先行技術文献は知られておらず、認知症に関して、脳への刺激に関する医学的所見を記載した刊行物が多く知られているに過ぎない。
【考案の概要】
【考案が解決しようとする課題】
【０００４】
老人中でも認知症の傾向がある人の認知症状発生の防止を、無意識に且つキャンディと嗜好物を生かして、実現する器具を生み出したキャンディ用保持体を提供しようとするものである。
【課題を解決するための手段】
【０００５】
本考案の要旨は次の通りである。
（１）
湾曲した頂部と、その下方にＶ字状に伸びる一対の弾性ある脚部と、からなるトング状の保持体であって、該頂部には串付キャンディの串を挿入しうる挿入孔を設け、一対の脚部の相対する内面で前記頂部から遠くない位置に突起を設けることを特徴とする串付キャンディ用保持体。
（２）
上記保持体が、プラスチック、金属、繊維、紙、木、竹もしくはこれら材料を選択複合して構成されたことを特徴とする上記（１）に記載の串付キャンディ用保持体。
（３）
上記弾性ある脚部の外部表面に多数の凹凸を設けたことを特徴とする上記（１）または（２）に記載の串付キャンディ用保持体。
（４）
上記弾性ある脚部の内部表面に多数の凹凸を設けたことを特徴とする上記（１）または（２）に記載の串付キャンディ用保持体。
（５）
上記串付キャンディが、扁平な円形もしくは扁平な楕円形あるいは扁平な瓢箪形である上記（１）乃至（４）のいずれか一つに記載の串付キャンディ用保持体。
（６）
キャンディとして、ビタミン、果実エキス、ゴマ、椎茸、牛蒡、生姜、ニンニク、蜂蜜、スクラロ−ス、アセスルファムカリウム、キシリトールから選択された健康増進食品又は薬剤を配合してなることを特徴とする上記（１）乃至（５）のいずれか一つに記載の串付キャンディ用保持体。
【０００６】
なお、本考案の串付キャンディの保持体は、ナイロンやポリエステル等のプラスチックのモールド成形により製造できるが、突起のみを別に製作して貼り付けることにより製造することもできる。
【考案の効果】
【０００７】
本考案の串付キャンディ用保持体は、通称飴とも呼ばれているキャンディという万人、特に老人に好まれる嗜好品の把持構造を改良することにより、キャンディを舐める場合に、無意識に脚部に手指の圧力を加えられるようにし、これにより、脳に刺激を与えて、脳を活性化できるので、認知症防止に効果を発揮できる。
特に、左右の脚部が、トング同様に把握力を加えると棒状の一体となり、把握力を弱めると開口するように働くので、交互に把握力を変化させることには格別の努力を必要とせず、人間がキャンディを舐め尽くした後にも、玩具同様に玩ぶことにより、血行を良くし、自律神経が調節されると共に、キャンディの味覚が脳に伝達され、脳を活性化し、キャンディの配合により、嗜好のものを選び、健康増進に寄与できるほか、脚部を手で把持して握力を変化させ、脚部の開閉をする際に特に強い力を要する把持部材とするときにはハンドグリップ同様に、指の筋肉トレーニング及び一層の免疫力強化、脳の活性化に寄与することができる。
【０００８】
また、図示してないが、脚部の外側表面に凹凸を設けておけば、この凹凸により強く握ったときに刺激をうけるので、一層脳の活性化に有効であり、脚部の内側表面に凹凸を設けておけば、従来どおり、豆などの粒状物の挟みに利用し能を活性化するにも利用できる。
【図面の簡単な説明】
【０００９】
【図１】本考案の一例の斜視図
【図２】本考案の一例で扁平円形の串付キャンディの串を挿入した使用状態で、脚部を握力で加圧した場合を仮想線で示した斜視図
【図３】本考案で用いられる串付キャンディの例を示す斜視図で（イ）はキャンディが扁平円形の場合、（ロ）はキャンディが扁平楕円形の場合、（ハ）はキャンディが扁平瓢箪形の場合を示す。
【考案を実施するための形態】
【００１０】
以下、本考案の実施の形態について図面を参照して説明する。
図１に示す構造は本考案の実施の形態の一例であり、使用状態は図２に示すとおりである。
すなわち、湾曲した頂部１ａと、その下方にV字状に伸びる一対の弾性ある脚部２ａ,２ｂと、からなるトング状の保持体４であって、該頂部１ａには串付キャンディ１１の串１２を挿入しうる挿入孔１ｂを設け、一対の脚部２ａ,２ｂの相対する内面で前記頂部１ａから遠くない位置に突起３ａ,３ｂを設け、該弾性ある脚部２ａ,２ｂを握る握力を強めたときに、頂部１ａの挿入孔１ｂより下方に挿入され突出する該串付キャンディ１１の串１２を該突起３ａ,３ｂが握り力により狭まりこれにより固定し、握力を弱めたときに、握り力が弱まりこれにより該突起３ａ,３ｂの保持力を弱めて脚部を開放し、結果として該串付キャンディ１１の串１２を該突起３ａ,３ｂより解放するようにした串付キャンディ用保持体である。
【００１１】
図３は、本考案において用いられる串付キャンディの一例を示す斜視図であり、（イ）は扁平な円状キャンディの場合、（ロ）は扁平な円状キャンディの場合、（ハ）は扁平な瓢箪型キャンディの場合を示し、いずれも串１２、キャンディ１３、串付キャンディ１１で示されている。
本考案において、用いられる串付キャンディの保持体は、串付キャンディ１１の串１２を挿入孔１ｂより挿入して、人間がキャンディ１３を舐めるときは、無意識に握力を変化させることは必然であり、握力が強くなれば、キャンディの串１２は強固に保持され、握力が弱くなればキャンディの串は保持体から解放されるが、この運動は脳神経を刺激して、認知症防止に有効である。さらに図示してないが、握る弾性ある脚部２ａ,２ｂの外表面に、微細突起を設けておけば一層の刺激が手から脳に伝わるので、認知症防止に有効であり、図示してないが、握る弾性ある脚部２ａ,２ｂの内表面に、微細突起を設けておけば従来どおり豆など掴むのに使用でき、認知症の予防に有効に使用できる。
【００１２】
又、キャンディの形状は、特に限定されるものではないが、扁平で、円形もしくは扁平な楕円形、扁平な瓢箪形が、これを食したときに扁平なため高齢者でも誤飲のおそれがなく扱いやすい。
又、キャンディとして、ビタミン、果実エキス、ゴマ、椎茸、牛蒡、生姜、ニンニク、蜂蜜、スクラロ−ス、アセスルファムカリウム、キシリトールから選択された健康増進食品または薬剤を配合してなる串付キャンディを用いる場合は、前述の物理的な脳の活性化に加えて、健康増進の点でも有効である。特にスクラロ−ス、アセスルファムカリウム、キシリトールはノンカロリー甘味料であり、糖尿病や血糖値の高い人でも問題がない。
【００１３】
本考案の串付キャンディ用保持体にキャンディを装着した場合、さかさまにすれば抜け落ちる懸念はあるが、握力を強めることで、キャンディを固定できるので、係る事故を発生させずに、使用することができる。
【符号の説明】
【００１４】
１ａ  湾曲した頂部
２ａ，２ｂ  一対の弾性ある脚部
３ａ，３ｂ  突起
４  串付キャンディ用保持体
１１  串付キャンディ
１２  串
１３  キャンディ
【図１】
0003167440.tif 000003
【図２】
0003167440.tif 000004
【図３】
0003167440.tif 000005